(57)【要約】      （修正有）【課題】棒状バイブレータの先端を直接均し板に差し込んで接続するようにした、軽量で扱いやすいコンクリートの均し装置に関するものである。【解決手段】コンクリート均し板１より棒状の操作棒２を上方に連出させ、この操作棒２の上端に握り部３を設けると共に、握り部３近傍に振動源４を配置し、この振動源４より発生する振動を操作棒２内に貫通された伝達手段を介して均し板１に振動を伝えるようにしたものであって、コンクリート均し板１のほぼ中央部に突設された連結部６に操作棒２の下端を着脱自在に連結することにより、所期の目的を達成することができる。【選択図】図１
0003144261.tif 000002
【実用新案登録請求の範囲】
【請求項１】
コンクリート均し板１より棒状の操作棒２を上方に連出させ、この操作棒２の上端に握り部３を設けると共に、握り部３近傍に振動源４を配置し、この振動源４より発生する振動を操作棒２内に貫通された伝達手段５を介して均し板１に振動を伝えるようにしたものであって、コンクリート均し板１のほぼ中央部に突設された連結部６に操作棒２の下端を着脱自在に連結して成るコンクリート均し装置。
【請求項２】
連結部６を角度変更自在とした請求項１に記載のコンクリート均し装置。
【請求項３】
振動源４の振動数を可変とした請求項１又は２に記載のコンクリート均し装置。
【請求項４】
連結部６の近傍に水冷手段７を施した請求項１乃至３に記載のコンクリート均し装置。
【考案の詳細な説明】
【技術分野】
【０００１】
本考案は軽量で扱いやすく、安価で、しかも広範なコンクリート面でも迅速かつ楽に均すことができるコンクリート均し装置に関するものである。
【背景技術】
【０００２】
従来から床面に打設されたコンクリートを均す手段としては、操作棒の先端に横長の均し板を装着して作業員がコンクリート面上を押さえ付けながら引くことにより均していたが、非能率的で大きな面積の現場ではコンクリートが硬化するまでの短時間に均し作業を出来ない欠点があった。
【０００３】
これを改良するもとして、均し板を振動手段で振動させて押さえずとも引くだけでコンクリート面を均せるものが多数出現してきている。
【０００４】
振動源としてはエンジンによるもの、電動によるものに大別されるが、振動源を均し板又はその近傍に設置したものでは均し板部分に比重が偏るため、接続部分に強度が要求されるので、全体として重量が大きく、扱いにくく、しかも高価になる欠点があった。
【０００５】
他方、振動源をエンジンとして、そのエンジンを均し板より隔離して配置したものものもあるが、このタイプでは振動源が重量で、体力のある外人や若者には使いこなせても、平均的な日本人や体力のない年配従業者では使いこなせない上に、高価であって普及し辛いものであった。
【０００６】
これらの欠点を解消しようとするものとして、実開５９−１０２８４９号公報に記載の考案がある。このものにあっては、コンクリート振動用の棒状バイブレータを用いているが、先端に均し板が設置された基杆に沿って棒状バイブレータを装着したものである。しかしこの従来例は、棒状バイブレータ以外に、それを取り付けるための基杆が必須となり、その分、部材点数が増え、重量が大きくなって扱い難い上にコストアップになる欠点があった。
【０００７】
また、棒状バイブレータと均し板の接続部が高速振動するため、その接続部分が発熱して過熱し、取り扱いに際し、誤って素手で触れると火傷をすることもあった。
【特許文献１】実開５９−１０２８４９号公報
【考案の開示】
【考案が解決しようとする課題】
【０００８】
本考案は、棒状バイブレータの先端を直接均し板に着脱自在に差し込んで接続するようにして、軽量で扱いやすいコンクリートの均し装置を提供するものである。
【課題を解決するための手段】
【０００９】
本考案の主たる特徴は、コンクリート均し板１より棒状の操作棒２を上方に連出させ、この操作棒２の上端に握り部３を設けると共に、握り部３近傍に振動源４を配置し、この振動源４より発生する振動を操作棒２内に貫通された伝達手段５を介して均し板１に振動を伝えるようにするに当たり、コンクリート均し板１のほぼ中央部に突設された連結部６に操作棒２の下端を着脱自在に連結したことである。
【００１０】
本考案の第２の特徴は、連結部６を角度変更自在としたことである。
【００１１】
本考案の第３の特徴は、振動源４の振動数を可変としたことである。
【００１２】
本考案の第４の特徴は、連結部６の近傍に水冷手段７を施したことである。
【考案の効果】
【００１３】
本考案にあっては上述のように、コンクリート均し板１のほぼ中央部に突設された連結部６に操作棒２の下端を着脱自在に連結したので、現場や作業者の体格等に応じた最適サイズの均し板１を選び、装着して打設直後のコンクリートを迅速に均し作業が行え、また、作業後は操作棒２を均し板１から取り外してコンパクトな状態で保管や移送等が行える。
【００１４】
連結部６の角度を可変としておくと、作業者の体格や、現場の打設面の角度等に応じて最適の均し板１と操作棒２の角度を設定して、作業がやり易くなる。
【００１５】
振動源４の振動数を可変としておくと、打設コンクリートの硬軟に応じて適度の振動数を選び、最適の仕上がり状態を確保できる。
【００１６】
また、連結部６の近傍に水冷手段７を施しておくと、作業時、高速振動で過熱しがちな連結部６近傍が冷却され、作業直後に例えば操作棒２を均し板１から分離しようと連結部６付近に触れて火傷することが防止でき、安全性の向上を図ることができる。
【考案を実施するための最良の形態】
【００１７】
以下、本考案を図面に基づき、詳細に説明する。図１は本考案の一実施例の概略を示すもので、均し板１の中央部に設けられた連結部６に操作棒２の下端が着脱可能に連結できるようになっている。操作棒２の上端に設けられた握り部３には例えば充電可能なバッテリー１１で回転駆動されるモータのような振動源４が収納され、振動源４の回転振動は操作棒２の内部に通されたフレキシブルワイヤのような伝達手段５を介して振動軸１３に伝えられ、この振動軸１３に装着された偏心子１４の偏心回転により、操作棒２の先端が高速振動する。１５は振動軸１３の軸受け、１６はフレキシブルワイヤと振動軸１３のカプリングである。尚、図示例では、充電式のモータを振動源としたが、交流電源でも良く、またエンジン駆動でも構わない。また振動方式も主旨を逸脱しない限り、例示のものに限定されないものとする。
【００１８】
また、握り部３の内部または近傍に水タンク１７が配置され、この水タンク１７内に適宜補給された水はホース１８を経て操作棒２の下端部に供給されて水冷手段７を構成する。図示例では操作軸２の下端外周を外筒１９で覆って形成される筒状空間にホース１８の下端を開口させることにより、水冷手段７が形成されるもので、ホース１８の下端開口は十分に小さく、駆動していないときは水タンク１７の水はホース１８下端より落下しないが、駆動されるとその高速振動により、水が霧状になって外筒１９と操作軸２下端との間に供給されて水冷する。水の発散は弁の開閉等で行っても構わない。
【００１９】
図１の２０はバッテリー１１のスイッチであり、オンオフのほか、必要に応じて、振動数を可変とすることができる。
【００２０】
均し板１の中央部に突設される連結部６は操作棒２の下端が差し込まれる受け部２１を有し、受け部２１に差し込まれた操作軸２の下端は固定ねじ２２によりロックされる。この連結部６は均し板１に対して固定しても良いが、角度を調整できるようにすることもできる。
【００２１】
図３はその一例で、例えば一対の支持片２３、２４の対抗面に所定の角度で凹凸を交互に施し、他方、連結部６の両外面には、支持片２３、２４に係合可能な凹凸面２５、２６を施し、ボルト２７とナット２８で軸支するようにしたもので、ボルト２７の締め付けを緩めて支持片２３、２４と凹凸面２５、２６の噛み合わせを適宜の角度に合わせた後、ボルト２７を締めこむことにより、段階的に操作軸２の均し板１に対する突出角度を調整できる。なお、支持片２３、２４と凹凸面２５、２６に代え、摩擦面として、角度調整を連続的とすることもできる。
（使用方法）
【００２２】
使用に当たっては、均し板１の連結部６に操作棒２の先端を差し込み、固定ねじ２２を締め込んでロックし、必要に応じて連結部６の角度を調整した後、ボルト２７をロックして、握り部３に配設されたスイッチ２０を操作して均し板１を高速振動させて引くことにより、打設直後のコンクリートの不均一な打設面を均等に均すものである。
【００２３】
また、打設コンクリートの含水率の違いに基づく硬度に応じて、振動数を切り替えて選び、硬い場合は高速で、柔らかい場合は低速の振動を選んで均し作業を行うことができる。
【００２４】
さらに、接続部６を水冷手段７で水冷することにより、過熱を防止し、作業直後の着脱時も安全に分解を行える。
【産業上の利用可能性】
【００２５】
本考案にあっては、上記のように、均し板１の連結部６に操作棒２の先端を着脱自在としたから、均し作業のときは操作棒２を持って均し板１を振動させてコンクリートの均し作業を行えるものであるが、作業が終わって移動時や保管時はコンパクトになるので、嵩張らず、場所を取らない。
【００２６】
また、操作棒２の連結角度を可変とした場合は、コンクリートの打設の規模やコンクリートの硬軟に応じて均し板１のサイズや重量等を変えた場合、或いは作業者の体格が異なる場合等、操作棒２の均し板１に対する突出角度を変えることにより、柔軟に対応して無理なく均し作業に従事できる。
【００２７】
更に振動数を変更可能としておくと、殊にコンクリートの水配合の変化や、打設からの時間の経緯によって最適の振動により、最適の均し作業を行える。
【００２８】
また、作業棒２と均し板１の連結部６を水冷するようにしておけば、長時間の均し作業でも過熱せず、また、作業終了直後に連結部に触れても火傷などせず、安全に扱うことができる。
【図面の簡単な説明】
【００２９】
【図１】本考案の一実施例の概略斜視図。
【図２】同上の操作棒先端部分の一実施例の概略拡大断面図。
【図３】同上の操作棒と均し板との接続部分の一実施例の拡大分解斜視図。
【図４】同上の作用説明図。
【符号の説明】
【００３０】
１  均し板
２  操作棒
３  握り部
４  振動源
５  伝達手段
６  連結部
７  水冷手段
【図１】
0003144261.tif 000003
【図２】
0003144261.tif 000004
【図３】
0003144261.tif 000005
【図４】
0003144261.tif 000006